(57)【要約】【課題】耳の掃除にもっと良い効果がある電動耳かき器及びパーツを提供する。【解決手段】電池１４及びモーター１５を入れる本体１０を設ける。スイッチ１６でモーター１５の起動をコントロールする。ベース及び電池１４、モーター１５を手持ちに適合するハウジング２０にはめて設ける。ハウジング２０の前端に周りに多数の通気穴を設けた軸ベース３０を設け、モーター１５の心棒を軸ベース３０に通過してから、軸ベース３０の中のファン４０と接続し、ファン４０に偏り配重の構造を設ける。ファン４０の前端に別に一つのシール５０と接続することで、モーター１５によってファン４０を伝動する。シール５０の中心にパイプ部を設け、軸ベース３０の上にあるキャップ６０の中でのパイプの内端にはめて接続する。又、キャップ６０のパイプに一つのフィルター７０をはめて設けた後、前端に適切な長さがある耳かきのパーツ８０を接続する。【選択図】図２
0003123272.tif 000002
【実用新案登録請求の範囲】
【請求項１】
電動耳かき器及びパーツであって、
一つの本体は、内部に一つの電池及びモーターが設けられ、スイッチによって、電池及びモーターの導電をコントロールし、モーターの心棒を本体の前端にある軸ケースに突出して設けることが可能であり、
一つのハウジングは手持ちに適合するハウジングであり、内径の寸法は本体と一致し、その深さはベースの長さよりやや短く、本体及びその後端にある電池をハウジングの中にはめて設けることが可能であり、
一つの軸ベースは、後端に一つの軸部を設けられ、本体前端のモーターにはめることが可能であり、軸ベースの中にあるファンと繋がり、軸ベースの後端の部分に多数の通気孔（３４）を設けることにより、ファンの気流を外部へ流させ、
一つのファンは、軸ベースの中に設けられ、モーターの心棒と繋がって伝動関係となり、ファンの羽根吸引機能がより良いタービンの形態を呈し、ファンに偏り配重の構造を持つため、モーターを伝動する時に偏り振動する効果を持たせ、ファンの端の面で一つのシールと繋がり、
一つのシールは、サイズはファンとほぼ一致し、ファンの端面に取り付けると同時に、シールの中心に一つのパイプ部を設けて、軸ベースの上にあるキャップの中のはめるパイプの内端にはめて接続することが可能であり、
一つのキャップは、内径の蓋は軸ベースの外径とほぼ一致し、キャップで軸ベースに覆うことにより、内部のファン及びシールを封じる状態が形成され、キャップの前端に一つのはめるパイプを設けることにより、前端に耳かき部を設けてあるパーツをはめることが可能であり、
一つのフィルターは、サイズはキャップのはめるパイプとほぼ一致し、前端にリングを設けることにより、フィルターをパイプの内部にはめる場合、リングを利用して位置制限が形成され、フィルターが取りやすくなり、フィルターの後端に精密の隙間穴を設けることで、気流が流通可能で、耳垢をろ過して止めることが可能であり、
一つのパーツは、内径はキャップとはめるパイプの外径と一致し、パーツをキャップのはめるパイプにはめることが可能であり、パーツの前端には適切な長さの耳かき部を設け、耳かき部の直径は耳のサイズより小さく、耳かき部の素材は軟質の材質を使うことが可能であり、パーツ及び耳かき部の繋がる面に一つのサイズアップの止めリングを設け、耳かき部が耳に入れる深さを制限可能とし、
上述の構造によって、モーターを利用してファンの運転をコントロールして風を吸引し、その偏り配重構造に合わせて、偏り振動する機能を与えることで、耳垢を振動及び吸引する機能を持つ電動耳かき器が形成されることを特徴とする電動耳かき器及びパーツ。
【請求項２】
パーツに直径が耳の直径より小さい耳かき部を設け、耳かき部の前端の開口部に耳垢を取ることが可能な耳かき器の先端部を設けることにより、耳垢を掃除する効果を向上可能であることを特徴とする電動耳かき器及びパーツ。
【請求項３】
内部にモーターを設けてファンを伝動することで風を吸引し、耳の中に溜まる耳垢を吸引することが可能となり、モーターの心棒で伝動するいずれかのパーツの上に偏り配重構造を設けることにより、モーターを伝動する場合、偏り振動の効果を生じ、パーツの前端に設けられている耳かき部が耳に溜まる耳垢に振動効果を生じ、耳の按摩及び痒み止めの機能を同時に持つことを特徴とする電動耳かき器及びパーツ。
【請求項４】
耳掻き部側に照明装置を取り付けることで、照明を補助する効果を提供可能であることを特徴とする請求項１記載の電動耳かき器及びパーツ。
【請求項５】
偏り配重構造をファンに設けることを特徴とする請求項１記載の電動耳かき器及びパーツ。
【請求項６】
偏り配重構造をシールに設けることを特徴とする請求項１記載の電動耳かき器及びパーツ。
【請求項７】
偏り配重構造をモーターの心棒に設けることを特徴とする請求項１記載の電動耳かき器及びパーツ。
【請求項８】
本体に一つのスイッチスロットを設けることにより、スイッチをその中に入れることが可能であり、ハウジング又は軸ベースの軸部と対応する位置に、軟質スイッチカバーを設けることにより、スイッチの開閉をコントロールすることが可能であることを特徴とする請求項１記載の電動耳かき器及びパーツ。
【考案の詳細な説明】
【技術分野】
【０００１】
本考案は、電動耳かき器及びパーツに関し、主には、人類又は動物の耳の中での皮脂組織の新陳代謝で生じるごみ又は異物を安全に快適に取れる補助衛生用品に関する。
【背景技術】
【０００２】
人体の耳の中での絨毛組織は外部からの小さいごみをろ過する。耳の中での皮脂組織の新陳代謝で生じるごみもあるので、時間が長くなると、耳垢になって耳が塞がれ、聴力に影響が出る。耳かき器について、従来の製品は日本実用新案公開平５−９３９２、登録実用新案第３０２１８００号及び特許公開２００４−１０５５５９等があるが、このような従来の製品を使用する場合、不快適及び安全性の問題が残っているので、従来の耳かき器の欠点を改善するため、現在、一部の耳かき器には電動吸引の機能が付いている。それはモーターを利用して、ファンを連動することで耳垢を吸引する。
【考案の開示】
【考案が解決しようとする課題】
【０００３】
しかしながら上述の耳かき器は、使用する時、その吸引効果はあまりよくない。安全だが、実用性は良くない設計であるため、それを改善しなければならないと思われる。
したがって本考案の目的は、同時に耳垢を振動及び吸引する機能を有することで、耳の掃除にもっと良い効果がある電動耳かき器及びパーツを提供することにある。
【０００４】
本考案の次の目的は、耳かきの部品を耳に挿入する幅が適切に制限されるので、耳かきを行う場合、外力に影響されるため深く挿入することで耳の内部又は耳膜に傷をつけることを回避可能な電動耳かき器及びパーツを提供することにある。
本考案の又一つの目的は、耳垢を耳の中から吸引した後、ろ過網を通して集中することで、耳垢の散らすことを避け、使用後、電動耳かき器を掃除しやすい電動耳かき器及びパーツを提供することにある。
【０００５】
本考案の別一つの目的は耳かきパーツを交換できる設計により、大人及び子供の耳の深さによって、適用するパーツに交換することが可能で、個人衛生の維持及び耳のマッサージ、痒い止めの機能も持つ電動耳かき器及びパーツを提供することにある。
本考案のほか一つの目的は構造の改良設計によって、適切な場所に照明装置をつけることで、他の人に頼んで耳垢をやってくれる時、耳を良く見える効果がある電動耳かき器及びパーツを提供することにある。
【課題を解決するための手段】
【０００６】
上述の目的を達成するために本考案の請求項に記載の電動耳かき器及びパーツは、主に一つの電池及びモーターを入れる本体を設ける。更に、スイッチでモーターの起動をコントロールする。ベース及び電池、モーターを手持ちに適合するハウジングにはめて設ける。ハウジングの前端に一つの軸ベースを設ける。軸ベースの周りに多数の通気穴を設ける。又、モーターの心棒を軸ベースに通過してから、軸ベースの中に設けてあるファンと接続し、ファンに偏り配重の構造を設ける。更に、ファンの前端に別に一つのシールと接続することで、モーターによってファンを伝動し、風を吸引することが可能となる。更に、偏り配重のため少しの偏移振動を生じる。シールの中心に一つのパイプ部を設けることで、軸ベースの上にあるキャップの中でのパイプの内端にはめて接続する。又、キャップのパイプに一つのフィルターをはめて設けた後、最後、前端に適切な長さがある耳かきのパーツを接続する。上述の構造によって、本考案の電動耳かき器が構成される。
【考案を実施するための最良の形態】
【０００７】
以下、本考案の実施例を図面に基づいて説明する。
図１の構造説明図、図２、図３の構造分解説明図、図４の局部構造分解説明図及び図５の構造関係説明図に示すように、本考案の実施例による電動耳かき器及びパーツは、その構造に主には下記のものを含む。
【０００８】
一つの本体１０があり、その中に電池入れスロット１１、モーター入れスロット１２及びスイッチ入れスロット１３を一つずつ設けることで、電池１４、モーター１５及びスイッチ１６をその中に設けることが可能である。電池１４及びモーター１５は予め設けてある正極、負極の電極プレート１７、１７'にて相互に繋がることが可能である。更にスイッチ１６によって、電池１４及びモーター１５の導電をコントロールする。又、蓋１８で本体１０前端のモーター入れスロット１２に取り付けることで、モーター１５を外部と隔離して、モーター１５に湿気をかけることを防止可能である。更に、モーター１５の心棒１５１は本体１０のモーター入れスロット１２の前端にある軸穴から外部に突出することが可能で、本体１０のモーター入れスロット１２及び蓋１８の外径の前端に一つの階段式エッジ１２１、１８１の形状を設けることで、本体１０の前端を一つの軸ベース３０をはめて接続することが可能である。
【０００９】
一つのハウジング２０は手持ちに適合するハウジングであり、その内径の寸法は本体１０と一致するが、その深さはやや本体１０の長さより短いので、本体１０及びその後端にある電池１４をハウジング２０の中にはめて設けることが可能である。ハウジング２０を軸ベース３０と一体に構成することが可能である。
【００１０】
一つの軸ベース３０は、その後端に一つの軸部３１を設け、軸部３１の後ろのエッジに落差のある階段式エッジ３１１を設けることで、ハウジング２０をはめて接続することが可能である。軸部３１がスイッチ１６と対応する場所に、一つの軟質スイッチカバー３１２を設けるので、軟質スイッチカバー３１２を通して、スイッチ１６の開閉をコントロールする。又、その内壁の前端に一つの階段式エッジ３２（この部分は図５を参照）を設けることで、軸ベース３０を本体１０前端のモーター入れスロット１２及び蓋１８にはめて設け、その位置を制限する。モーター１５の心棒１５１は軸ベース３０及び軸部３１の間での通し穴３３を通して、軸ベース３０の中に貫通し、軸ベース３０の中にあるファン４０と繋がる。更に、軸ベース３０の周りから後端の部分に多数の通気孔３４を設けることで、ファン４０の気流を外部へ流させる。
【００１１】
一つのファン４０は、軸ベース３０の中に設けて、モーター１５の心棒１５１と繋がって伝動関係になる。又、ファン４０の後端に一つの偏り配重塊４０１を設けることで、モーター１５を伝動する時に偏り振動する効果を持たせる。ファン４０の羽根４１はタービンの形態を呈するので、風を吸引する場合、ベターの効果を持つ。その羽根４１の前端にはめる凸点４２を設けることで、シール５０を挿入することが可能である。
【００１２】
一つのシール５０はファン４０とほぼ一致する。底部に複数のインサートホール５１を設けることで、ファン４０の羽根４１にあるはめる凸点４２をインサートして結合することが可能である。シール５０をファン４０の端面に取り付けると同時に、シール５０の中心に一つのパイプ部５２を設けることで、軸ベース３０の上にあるキャップ６０の中のはめるパイプ６１の内端にはめて接続する。
【００１３】
一つのキャップ６０は、内径の蓋は約軸ベース３０の外径と一致するため、そのキャップ６０を軸ベース３０に覆うことで、内部のファン４０及びシール５０に封じる状態が形成される。又、キャップ６０の前端に一つのはめるパイプ６１を設けることで、前端に耳かき部８１を設けるパーツ８０をはめる。はめるパイプ６１の内部に別に一つのフィルター７０をはめることが可能である。前述のシール５０の中心パイプ部５２をキャップ６０にあるはめるパイプ６１の内端にはめる。
【００１４】
一つのフィルター７０のサイズはキャップ６０のはめるパイプ６１とほぼ一致する。更に前端にリング７１を設けることで、フィルター７０をはめるパイプ６１の内部にはめる場合、リング７１を利用して位置制限が形成され、フィルター７０を取りやすくなる。フィルター７０の後端に精密の隙間穴７２を設けるので、気流が流通可能で、耳垢をろ過して止めることが可能である。
【００１５】
一つのパーツ８０の内径はキャップ６０とはめるパイプ６１の外径と一致するので、パーツをキャップ６０のはめるパイプ６１にはめることが可能である。パーツ８０の前端に適切な長さの耳かき部８１を設け、耳かき部８１の直径は耳のサイズより小さく、耳かき部８１の素材は軟質の材質を使っても良い。更に前端の開口部に耳かきの先端部８２を設けて、そのパーツ８０及び耳かき部８１の繋がる面に一つのサイズアップの止めリング８３を設け、耳かき部８１が耳に入る深さを制限可能である。
【００１６】
上述の構造によって、モーター１５の運転を利用してファン４０を運転させることで風を吸引する機能を持たせる。又、その偏り配重塊４０１の設置に合わせて、モーター１５がファン４０の伝動に適切な振動効果を生じる。この振動する力がパーツ８０の前端に設けてある耳かき部８１に渡し届けるので、耳かき部８１が耳の中で振動により耳垢を取る効果を生じて、耳の壁及び絨毛の間での溜める耳垢を取る効果がもっと良くなる。更に、その取った耳垢がファン４０の吸引する気流によって、耳かき部８１の開口から導入して、キャップ６０のはめるパイプ６１にはめて設けてあるフィルター７０を通して止められる。気流がシール５０の中心パイプ部５２を通して、ファン４０まで導入してから、軸ベース３０の通気孔３４から外部へ排出する。上述によって振動で耳垢を取る及び吸引する機能を持つ電動耳かき器の構造が形成される。
【００１７】
又、上述のファン４０の後部にある偏り配重塊４０１を改めてシール５０の前端に設けることも可能である。それによってシール５０の前端のある側に一つの偏り配重塊５３が一体成型で設けられる(図３Ａを参照)。又は、モーター１５の心棒１５１に設けることで、心棒１５１の上に一つの偏り配重塊１５２をはめることが可能である(図３Ｂを参照)。その偏り配重塊４０１、５３又は１５２をファン４０、シール５０又はモーター１５の心棒１５１のいずれかに設けても、モーター１５でファン４０を伝動する場合、偏り振動機能をもたらすのである。
【００１８】
図６の実施構造の状態を参考とする。図に示すように、本実施例の電動耳かき器を使って耳垢を取る場合、予め設けるスイッチ１６でモーター１５の運転を起動してファン４０を伝動すると同時に、パーツ８０の前端の耳かき部８１を耳１の中に入れる時、パーツ８０の止めリング８３によって耳かき部８１の挿入幅を制限可能である。耳かき部８１を耳の中に入れすぎるため耳か耳膜に傷つけることを避けられるため、使用する場合の安全を守れる。更に、耳かき部８１は軟質材料で作るので、耳の不快適を避けられ、振動で耳垢を取る効果によって耳に按摩及び痒み止めを生じるため、使用上に相当的に快適感を持たせる。更に、ファン４０の適切な風を吸引する機能に合わせて、耳の中に溜まる耳垢又は取ったスライス形状の耳垢を外部へ吸引して、フィルター７０の中に集中することが可能である。使用後、直接そのフィルター７０を取り外して掃除又は洗うだけで良いため、全体的に見ると、使用する場合、素晴らしい使用性及び便利性をもたらす。更に、そのパーツ８０をキャップ６０と組合せる設計によって、そのパーツ８０に交換する機能を与えることで、使用者の個人衛生又は大人及び子供の耳の深さによって、適切なパーツ８０を交換して使用可能であることは、異なる使用要求及び衛生要求に対応可能となる。
【００１９】
図７の実施例に示すように電動耳かき器は上述の構造によって、吸引及び振動の機能を持つほか、キャップ６０の有る側の適切な位置に照明装置９０を取り付ける(例えばＬＥＤライト)ことで付加照明機能を提供することで、他の人に頼んで耳かきを行う場合、その照明装置９０を利用して照明を補助することが可能であり、耳垢を取る様子及び効果を見えるのである。
【００２０】
上述の説明によって、本実施例の電動耳かき器及びパーツは、モーターを利用してファンを伝動することで耳垢を吸引する機能を持つほか、更に偏り配重塊の作用によって、そのパーツの耳かき部を使って、有効に耳の中にある耳垢を振動して取ることが可能であり、使用する場合、もっと快適になるし、耳の按摩及び痒い止めの効果を持つ。更に、その止める設計によって、耳かき部を耳に挿入する深さを制限可能であるため、耳の内部又は耳膜に傷つけることを避けられる。パーツを交換可能であるため、個人の衛生を維持することが可能である。上述の長所によって、この創作は従来の耳かき器よりもっと実用の価値を持つのである。
【００２１】
上述によって、本実施例による電動耳かき器及びパーツは、その構造の設計によって、耳垢を振動及び吸引する機能を持つと同時に、安全性及び健康維持の機能を持つので、従来の耳かき器よりもっと実用の価値を持つため、優秀で素晴らしい設計と思うので、法律によって特許の請求を提出するのでる。
【図面の簡単な説明】
【００２２】
【図１】本考案の実施例による電動耳かき器及びパーツを示す構造説明図である。
【図２】本考案の実施例による電動耳かき器及びパーツを示す構造分解説明図である。
【図３】本考案の実施例による電動耳かき器及びパーツの別の方向から見た構造分解説明図である。
【図３Ａ】本考案の実施例による電動耳かき器及びパーツシールの別一つの実施状態図である。の
【図３Ｂ】本考案の実施例による電動耳かき器及びパーツのモーターの別一つの実施状態図である。
【図４】本考案の実施例による電動耳かき器及びパーツの局部構造の分解説明図である。
【図５】本考案の実施例による電動耳かき器及びパーツの構造関係の説明図である。
【図６】本考案の実施例による電動耳かき器及びパーツの実施構造の状態参考図である。
【図７】本考案の実施例による電動耳かき器及びパーツの別の実施状態を示す構造説明図である。
【符号の説明】
【００２３】
１０  本体、１１  電池入れスロット、１２  モーター入れスロット、１３  スイッチ入れスロット、１４  電池、１５  モーター、１６  スイッチ、１７  電極プレート、１７'  電極プレート、１８  蓋、２０  ハウジング、３０  軸ベース、３１  軸部、３２  階段式エッジ、３３  通し穴、３４  通気孔、４０  ファン、４１  羽根、４２  はめる凸点、５０  シール、５１  インサートホール、５２  パイプ部、５３  偏り配重塊、６０  キャップ、６１  はめるパイプ、７０  フィルター、７１  リング、７２  隙間穴、８０  パーツ、８１  耳かき部、８２  先端部、８３  止めリング、９０  照明装置、１２１  階段式エッジ、１５１  心棒、１５２  偏り配重塊、１８１  階段式エッジ、３１１  落差のある階段式エッジ、３１２  軟質スイッチカバー、４０１  偏り配重塊
【図１】
0003123272.tif 000003
【図２】
0003123272.tif 000004
【図３】
0003123272.tif 000005
【図３Ａ】
0003123272.tif 000006
【図３Ｂ】
0003123272.tif 000007
【図４】
0003123272.tif 000008
【図５】
0003123272.tif 000009
【図６】
0003123272.tif 000010
【図７】
0003123272.tif 000011
【手続補正書】
【提出日】平成18年5月2日(2006.5.2)
【手続補正１】
【補正対象書類名】実用新案登録請求の範囲
【補正対象項目名】全文
【補正方法】変更
【補正の内容】
【実用新案登録請求の範囲】
【請求項１】
電動耳かき器であって、
一つの本体は、内部に一つの電池及びモーターが設けられ、スイッチによって、電池及びモーターの導電をコントロールし、モーターの心棒を本体の前端にある軸ケースに突出して設けることが可能であり、
一つのハウジングは手持ちに適合するハウジングであり、内径の寸法は本体と一致し、その深さはベースの長さよりやや短く、本体及びその後端にある電池をハウジングの中にはめて設けることが可能であり、
一つの軸ベースは、後端に一つの軸部を設けられ、本体前端のモーターにはめることが可能であり、軸ベースの中にあるファンと繋がり、軸ベースの後端の部分に多数の通気孔（３４）を設けることにより、ファンの気流を外部へ流させ、
一つのファンは、軸ベースの中に設けられ、モーターの心棒と繋がって伝動関係となり、ファンの羽根吸引機能がより良いタービンの形態を呈し、ファンに偏り配重の構造を持つため、モーターを伝動する時に偏り振動する効果を持たせ、ファンの端の面で一つのシールと繋がり、
一つのシールは、サイズはファンとほぼ一致し、ファンの端面に取り付けると同時に、シールの中心に一つのパイプ部を設けて、軸ベースの上にあるキャップの中のはめるパイプの内端にはめて接続することが可能であり、
一つのキャップは、内径の蓋は軸ベースの外径とほぼ一致し、キャップで軸ベースに覆うことにより、内部のファン及びシールを封じる状態が形成され、キャップの前端に一つのはめるパイプを設けることにより、前端に耳かき部を設けてあるパーツをはめることが可能であり、
一つのフィルターは、サイズはキャップのはめるパイプとほぼ一致し、前端にリングを設けることにより、フィルターをパイプの内部にはめる場合、リングを利用して位置制限が形成され、フィルターが取りやすくなり、フィルターの後端に精密の隙間穴を設けることで、気流が流通可能で、耳垢をろ過して止めることが可能であり、
一つのパーツは、内径はキャップとはめるパイプの外径と一致し、パーツをキャップのはめるパイプにはめることが可能であり、パーツの前端には適切な長さの耳かき部を設け、耳かき部の直径は耳のサイズより小さく、耳かき部の素材は軟質の材質を使うことが可能であり、パーツ及び耳かき部の繋がる面に一つのサイズアップの止めリングを設け、耳かき部が耳に入れる深さを制限可能とし、
上述の構造によって、モーターを利用してファンの運転をコントロールして風を吸引し、その偏り配重構造に合わせて、偏り振動する機能を与えることで、耳垢を振動及び吸引する機能を持つことを特徴とする電動耳かき器。
【請求項２】
パーツに直径が耳の直径より小さい耳かき部を設け、耳かき部の前端の開口部に耳垢を取ることが可能な耳かき器の先端部を設けることにより、耳垢を掃除する効果を向上可能であることを特徴とする請求項１記載の電動耳かき器。
【請求項３】
内部にモーターを設けてファンを伝動することで風を吸引し、耳の中に溜まる耳垢を吸引することが可能となり、モーターの心棒で伝動するいずれかのパーツの上に偏り配重構造を設けることにより、モーターを伝動する場合、偏り振動の効果を生じ、パーツの前端に設けられている耳かき部が耳に溜まる耳垢に振動効果を生じ、耳の按摩及び痒み止めの機能を同時に持つことを特徴とする請求項１記載の電動耳かき器。
【請求項４】
耳掻き部側に照明装置を取り付けることで、照明を補助する効果を提供可能であることを特徴とする請求項１記載の電動耳かき器。
【請求項５】
偏り配重構造をファンに設けることを特徴とする請求項１記載の電動耳かき器。
【請求項６】
偏り配重構造をシールに設けることを特徴とする請求項１記載の電動耳かき器。
【請求項７】
偏り配重構造をモーターの心棒に設けることを特徴とする請求項１記載の電動耳かき器。
【請求項８】
本体に一つのスイッチスロットを設けることにより、スイッチをその中に入れることが可能であり、ハウジング又は軸ベースの軸部と対応する位置に、軟質スイッチカバーを設けることにより、スイッチの開閉をコントロールすることが可能であることを特徴とする請求項１記載の電動耳かき器。
【請求項９】
本体と、ハウジングと、軸ベースと、ファンと、シールと、キャップと、フィルターとを備え、
前記本体は、内部に一つの電池及びモーターが設けられ、スイッチによって、電池及びモーターの導電をコントロールし、モーターの心棒を本体の前端にある軸ケースに突出して設けることが可能であり、
前記ハウジングは、手持ちに適合し、内径の寸法は本体と一致し、その深さはベースの長さよりやや短く、本体及びその後端にある電池をはめて設けることが可能であり、
前記軸ベースは、後端に一つの軸部が設けられ、本体前端のモーターにはめることが可能であり、内部にあるファンと繋がり、軸ベースの後端の部分に多数の通気孔を設けることにより、ファンの気流を外部へ流させ、
前記ファンは、軸ベースの中に設けられ、モーターの心棒と繋がって伝動関係となり、ファンの羽根吸引機能がより良いタービンの形態を呈し、ファンに偏り配重の構造を持つため、モーターを伝動する時に偏り振動する効果を持たせ、ファンの端の面で一つのシールと繋がり、
前記シールは、サイズはファンとほぼ一致し、ファンの端面に取り付けると同時に、シールの中心に一つのパイプ部を設けて、軸ベースの上にあるキャップの中のはめるパイプの内端にはめて接続することが可能であり、
前記キャップは、蓋の内径は軸ベースの外径とほぼ一致し、キャップで軸ベースに覆うことにより、内部のファン及びシールを封じる状態が形成され、キャップの前端に一つのはめるパイプを設けることにより、前端に耳かき部を設けてあるパーツをはめることが可能であり、
前記フィルターは、サイズはキャップのはめるパイプとほぼ一致し、前端にリングを設けることにより、フィルターをパイプの内部にはめる場合、リングを利用して位置制限が形成され、フィルターが取りやすくなり、フィルターの後端に精密の隙間穴を設けることで、気流が流通可能で、耳垢をろ過して止めることが可能であり、モーターを利用してファンの運転をコントロールして風を吸引し、その偏り配重構造に合わせて、偏り振動する機能を与えることで、耳垢を振動及び吸引する機能を持つ電動耳かき器に用いられる電動耳かき用パーツであって、
内径がキャップ、及びはめるパイプの外径と一致し、キャップのはめるパイプにはめ込み可能であり、前端には適切な長さの耳かき部が設けられ、耳かき部の直径は耳のサイズより小さく、耳かき部は軟質の材質からなり、耳かき部の繋がる面には一つのサイズアップの止めリングが設けられ、耳かき部が耳に進入する深さが制限されることを特徴とする電動耳かき器用パーツ。
【請求項１０】
前記耳かき部は、直径が耳の直径より小さく、前端の開口部に耳垢を取ることが可能な先端部が設けられ、耳垢を掃除する効果が向上可能であることを特徴とする請求項９記載の電動耳かき器用パーツ。
【請求項１１】
電動耳かき器の内部に設けられたモーターで駆動されるファンで風を吸引し、耳の中に溜まる耳垢を吸引可能であり、モーターの心棒で伝動するいずれかのパーツの上に偏り配重構造を設けることにより、モーターを駆動する場合、偏り振動の効果を生じ、
前端に設けられている耳かき部が耳に溜まる耳垢に振動効果を生じ、耳の按摩及び痒み止めの機能を同時に持つことを特徴とする請求項９記載の電動耳かき器用パーツ。
【請求項１２】
耳掻き部側に取り付けられる照明装置を備え、照明を補助する効果を提供可能であることを特徴とする請求項９記載の電動耳かき器用パーツ。
【請求項１３】
電動耳かき器の偏り配重構造がファンに設けられていることを特徴とする請求項９記載の電動耳かき器用パーツ。
【請求項１４】
電動耳かき器の偏り配重構造がシールに設けられていることを特徴とする請求項９記載の電動耳かき器用パーツ。
【請求項１５】
電動耳かき器の偏り配重構造がモーターの心棒に設けられていることを特徴とする請求項９記載の電動耳かき器用パーツ。
【請求項１６】
前記電動耳かき器は、本体に一つのスイッチスロットを設けられ、スイッチがその中に入れられ、ハウジング又は軸ベースの軸部と対応する位置に、軟質スイッチカバーが設けられ、スイッチの開閉をコントロール可能であることを特徴とする請求項９記載の電動耳かき器用パーツ。